(57)【特許請求の範囲】
【請求項１】
釣り糸挿通用の挿通孔を形成しているガイドリングと、そのガイドリングを保持する金属製のガイド本体とで構成し、前記ガイドリングを保持する保持部と、竿体に装着される足部と、前記保持部と前記足部との間に脚部を形成してガイド本体を構成し、前記脚部と前記足部とを連結する屈曲接続部の曲率中心側に向かう内側表面に、繊維強化樹脂製の補強体を施し、前記補強体を板状体で形成し、かつ、その板状の補強体を前記屈曲接続部の湾曲形状に沿って装着してある釣り糸用ガイド。
【請求項２】
前記板状の補強体を内側補強体とし、その内側補強体の外側に、前記屈曲接続部の曲り始めの両端部を結ぶ直線部分を斜辺とした略三角形状を呈する外側補強体とを配置して、前記補強体は、前記内側補強体と前記外側補強体とで構成してある請求項１記載の釣り糸用ガイド。
【請求項３】
前記ガイド本体と、前記ガイド本体の屈曲接続部に圧着成形によって装着固定してある前記補強体とで構成してある請求項１又は２記載の釣り用ガイド。
【請求項４】
前記屈曲接続部の前記補強体装着面に、細かい条溝又はローレット溝を形成してある請求項１〜３のうちのいずれか一項に記載の釣り糸用ガイド。
【請求項５】
前記繊維強化樹脂がプリプレグである請求項１〜４のうちのいずれか一項に記載の釣り糸用ガイド。
【請求項６】
前記ガイドリングは炭化ケイ素製である請求項１〜５のうちのいずれか一項に記載の釣り糸用ガイド。
【請求項７】
前記ガイド本体と、前記ガイド本体の屈曲接続部に真空成型によって装着固定してある前記補強体とで構成してある請求項１から６のうちのいずれか一項に記載の釣り用ガイド。
【請求項８】
前記内側補強体に使用されている強化繊維の引張弾性率より、前記外側補強体に使用されている強化繊維の引張弾性率を大きくしてある請求項２記載の釣り糸用ガイド。
【請求項９】
請求項１〜８のうちのいずれか一項に記載の釣り糸用ガイドを備えた釣り竿。
【発明の詳細な説明】
【技術分野】
【０００１】
本発明は、リールから繰り出された釣り糸をガイドする釣り糸用ガイド及び釣り竿に関する。
【背景技術】
【０００２】
釣り糸用ガイドのガイドリングを取り付けるガイド本体は、例えば、チタンやアルミ等の金属板にプレスによる打ち抜き加工成形を行って、釣り糸をガイドするガイドリングを保持する保持部、竿体に取付られる足部、及び、保持部と足部とを連結する脚部を形成した後に、脚部と足部との境界部位に曲げ加工を施して屈曲接続部を形成し、作られていた（特許文献１）。
【先行技術文献】
【特許文献】
【０００３】
【特許文献１】特開２００９−２７３４４３号公報（段落番号〔００１７〕）
【発明の概要】
【発明が解決しようとする課題】
【０００４】
釣り糸用ガイドは、釣り場においては、常に塩水等や炎天に晒される環境の悪さもさりながら、釣り糸からガイドリングを通して錘や針掛かりした魚の荷重による力を受けている為に、足部を竿体から剥離しようとする荷重によって、曲げモーメントや握りモーメントを受けている。
このモーメントは、脚部と足部との境界部位にある屈曲接続部に集中し、その屈曲接続部に大きな応力が作用し、その部分に亀裂が入ったり、折損等することによって、釣り糸用ガイドの付け替え等が必要になり、その部分の強化を図ることが検討されている。
また、ガイドリングを保持する保持部にはガイドリングを通して直接釣り糸からの荷重が作用して大きな応力を発生し、ガイドリング保持部位等から亀裂の発生等も十分あり得、かつ、その保持部を支える脚部にも十分な支持能力が要求されている。
【０００５】
本発明の目的は、上記したようなモーメントを受けた場合にも、保持部や脚部、及び、脚部と足部との境界部位にある屈曲接続部において、亀裂の発生や折損等を起こし難い釣り糸用ガイド及び釣り竿を提供する点にある。
【課題を解決するための手段】
【０００６】
〔構成〕
請求項１に係る発明の特徴構成は、釣り糸挿通用の挿通孔を形成しているガイドリングと、そのガイドリングを保持する金属製のガイド本体とで構成し、前記ガイドリングを保持する保持部と、竿体に装着される足部と、前記保持部と前記足部との間に脚部を形成してガイド本体を構成し、前記脚部と前記足部とを連結する屈曲接続部の曲率中心側に向かう内側表面に、繊維強化樹脂製の補強体を施し、前記補強体を板状体で形成し、かつ、その板状の補強体を前記屈曲接続部の湾曲形状に沿って装着してある点にあり、その作用効果は次の通りである。
【０００７】
〔作用〕
つまり、屈曲接続部の曲率中心側に向かう内側表面に、繊維強化樹脂製の補強体を施すことによって、それらの部分での断面係数の増加を図って機械的強度の強化を図っている。
例えば、機械的強度を図る手段としては、それらの部分の板厚等の増大を図ることや、強度の高い金属等に変更することも考えられるが、板厚を厚くすれば重量増が大きく、かつ、強度の高い金属等に変更する場合には製造コスト面で割高となる欠点がある。
これに対して、本発明においては、繊維強化樹脂によって補強体を形成しているので、板厚を厚くする場合に比べて軽量化が図れ、かつ、強度の高い金属等に変更する場合に比べて、その金属の強度に近い強度を維持しながら製造コスト面では易くできるという利点がある。
【０００８】
〔効果〕
したがって、繊維強化樹脂製の補強体を屈曲接続部の曲率中心側に向かう内側表面に施すことによって、重量増を来たすことなく、かつ、製造コスト増を抑制しながら、従来に比べて、ガイドリングを保持する保持部にガイドリングを通して直接釣り糸からの荷重が作用して大きな応力を発生する場合にも、ガイドリング保持部位等から亀裂の発生等を抑制することができ、かつ、その保持部を支える脚部にも十分な支持能力を与える強化を図り、折損等の少ない釣り用ガイドを提供出来るに至った。
【０００９】
〔構成〕
請求項２に係る発明の特徴構成は、前記板状の補強体を内側補強体とし、その内側補強体の外側に、前記屈曲接続部の曲り始めの両端部を結ぶ直線部分を斜辺とした略三角形状を呈する外側補強体とを配置して、前記補強体は、前記内側補強体と前記外側補強体とで構成してある点にある。
請求項３に係る発明の特徴構成は、前記ガイド本体と、前記ガイド本体の屈曲接続部に圧着成形によって装着固定してある前記補強体とで構成してある点にある。
【００１０】
〔構成〕
請求項４に係る発明の特徴構成は、前記屈曲接続部の前記補強体装着面に、細かい条溝又はローレット溝を形成してある点にある。
【００１１】
〔構成〕
請求項５に係る発明の特徴構成は、前記繊維強化樹脂がプリプレグである点にあり、その作用効果は次の通りである。
【００１２】
〔作用効果〕
これによって、釣り糸用ガイドが竿素材と同様の材料で構成されることとなり、材料の兼用化が可能になり、製造上も効果は大である。
【００１３】
〔構成〕
請求項６に係る発明の特徴構成は、前記ガイドリングが炭化ケイ素製である点にあり、その作用効果は次の通りである。
【００１４】
〔作用効果〕
ガイドリングが炭化ケイ素製の、摩耗に強いセラミック等を使用しているので、釣り糸から摺動作用を受けて、摩耗磨滅が少ない。
【００１５】
〔構成〕
請求項７に係る発明の特徴構成は、前記ガイド本体と、前記ガイド本体の屈曲接続部に真空成型によって装着固定してある前記補強体とで構成してある点にある。
請求項８に係る発明の特徴構成は、前記内側補強体に使用されている強化繊維の引張弾性率より、前記外側補強体に使用されている強化繊維の引張弾性率を大きくしてある。
【００１６】
〔構成〕
請求項９に係る発明の特徴構成は、請求項１〜８のうちのいずれかー項に記載の釣り糸用ガイドを備えた釣り竿である点にあり、その作用効果は次の通りである。
【００１７】
〔作用効果〕
釣り糸用ガイドは、プリプレグで製作されることによって金属製に比べて軽量化が達成でき、かつ、プリプレグと金属との複合化によって、スムースな曲がりを呈する、捌き易い釣り竿とできた。
【図面の簡単な説明】
【００１８】
【図１】トラウトロッドを示す側面図である。
【図２】釣り糸用ガイドを穂先竿に取付た状態を示す斜視図である。
【図３】（ａ）釣り糸用ガイドを竿尻側から見た状態を示す背面図、（ｂ）釣り糸用ガイドの縦断側面図である。
【図４】ガイド本体の屈曲接続部にプリプレグ製の補強体を施した状態を示す縦断側面図である。
【図５】（ａ）釣り糸用ガイドを竿尻側から見た状態を示し、釣り糸用挿通孔の周縁に配置される強化繊維の配向状態を六角形に設定した状態を示す背面図、（ｂ）金属製のガイド本体を示す背面図、（ｃ）釣り糸用ガイドの縦断側面図である。
【図６】真空成形する前の外装部を示す背面図である。
【図７】釣り糸用ガイドの製造工程を示し、図５（ｂ）に示す金属製のガイド本体に使用するチタンバネ材と外装部を形成するプリプレグシートとを重ね合わせたものを、真空型内に設置して接着一体化する加工を施している状態を示し、かつ、真空成型した加工物を硬化炉において加熱焼成する状態を示す構成図である。
【図８】足部が二股になっている釣り用ガイドの別実施構造を示す縦断側面図である。
【発明を実施するための形態】
【００１９】
〔第１実施形態〕
ヤマメや岩魚等を釣る際に使用される釣り竿ａについて説明する。図１に示すように、釣り竿Ａは、穂先竿１の先端にトップガイド２を取り付けるとともに、穂先竿１の中間位置に釣り糸用ガイド３を取付固定し、竿元側に並継式に継合された元竿４を配置し、元竿４にスピンニングリールＢを装着するリールシート５を取り付けて、構成してある。
【００２０】
尚、釣り竿Ａを構成する穂先竿及び元竿は次のように製作される。つまり、炭素繊維等の強化繊維を一方向に引き揃え、その引き揃え強化繊維群にエポキシ樹脂等の熱硬化性樹脂（又は熱可塑性樹脂）を含浸させて、プリプレグシートを形成する。このプリプレグシートを所定の形状に裁断したものをマンドレルに巻回し、複数層に形成したものをマンドレルに巻回した状態で炉に入れて焼成し、焼成後マンドレルを脱芯して円筒状の竿素材を取り出しその竿素材を所定長に裁断して、仕上加工を施し竿体とする。
プリプレグを構成する強化繊維としては、具体的には、炭素繊維以外にガラス繊維、アラミド繊維、アルミナ繊維等が使用でき、樹脂としては、エポキシ樹脂の他に、フェノール樹脂、ポリエステル樹脂等の熱硬化性樹脂やＰＶ（Ｅ）等の熱可塑性樹脂が使用できる。また、プリプレグとしては、織り物に樹脂を含浸させて構成したものであってもよい。
【００２１】
釣り糸用ガイド３について説明する。図２〜図４に示すように、釣り糸用ガイド３は、釣糸挿通用の挿通孔６Ａを形成しているガイドリング６と、そのガイドリング６を保持するガイド本体７とで構成してある。
ガイド本体７は金属製であり、板状部材からプレス打ち抜き加工及び曲げ加工を経て作成される。使用される部材は、ステンレス、アルミニュウム、チタン等の金属材料から構成される。それらの表面には、アルマイト加工等の防食加工を施してもよい。
【００２２】
ガイド本体７は、ガイドリング６の周囲に配置されてそのガイドリング６を保持する円盤状の保持部７ａと、保持部７ａから細幅の状態に延出される脚部７ｂと、脚部７ｂと同じ横幅で延出される足部７ｃとで構成される。
【００２３】
穂先竿１の外周面に載置される足部７ｃに対して、図３に示すように、略１００°〜１１０°の角度（鈍角）αで脚部７ｂと保持部７ａが折り曲げ形成されており、竿体より外向きに突出される脚部７ｂと保持部７ａとを、釣り糸が絡み付き難く、かつ、絡み付いても摺り抜け易い角度に設定してある。
保持部７ａには、ガイドリング６を圧入装着する為の取付用孔７Ｆが形成してある。
【００２４】
ガイドリング６は、外形として円形を呈するフランジ部６Ｂとそのフランジ部６Ｂより小径で軸線方向に沿って延出された筒状ボス部６Ｃとを備えている。
ガイドリング６としては、セラミックが主として使用され、炭化ケイ素、アルミナ、ジルコニア等が材料として選定され、サーメット等の金属とセラミックの合成物も使用される。耐摩耗性の高い材料であれば使用可能である。
【００２５】
サーメットは、金属炭化物や金属窒化物などの硬質化合物の粉末を金属の結合材と混合して焼結した複合材料であり、耐熱性や耐摩耗性が高い。これらに対するネジの刻設作業は、機械加工、型成形等によって行われる。
上記したセラミック以外に、アルミニュウムやチタン等の軽量金属も使用できる。アルミニュウム等に対しては、耐摩耗性を高める為に、釣り糸を誘導する挿通用孔の表面等にアルマイト処理等を施すことが好ましい。
【００２６】
図２〜図３に示すように、脚部７ｂと足部７ｃとを連結する屈曲接続部７ｄの竿尻側に向かう表面に繊維強化樹脂製の補強体８を施してある。補強体８は、繊維強化樹脂製であり、プリプレグで作成される。
前記したように、プリプレグを構成する強化繊維としては、具体的には、炭素繊維以外にガラス繊維、アラミド繊維、アルミナ繊維等が使用でき、樹脂としては、エポキシ樹脂の他に、フェノール樹脂、ポリエステル樹脂等の熱硬化性樹脂やＰＶ（Ｅ）等の熱可塑性樹脂が使用できる。また、プリプレグとしては、織り物に樹脂を含浸させて構成したものであってもよい。
【００２７】
これらのプリプレグを複数枚重ね合わせて矩形状に形成し、金属製のガイド本体７に圧着成形か真空成型によって装着される。また、図示はしていないが、金属製のガイド本体７に対する補強体８の密着性を向上させる為に、ガイド本体７の屈曲接続部７ｄの表面に細かい条溝を多数平行に又は交差する状態で、設けることがよい。場合によっては、ローレット加工を施してよい
【００２８】
〔第１実施形態の別実施形態〕
（１）補強体８としては、次のような構成を採ってもよい。図４に示すように、補強体８を繊維強化樹脂が、引張弾性率の異なる複数の繊維層を積層したものであり、複数の繊維層において、屈曲接続部７ｄの表面に装着される内側繊維層８Ａに比べて外側に積層される外側繊維層８Ｂの方が、高い引張弾性率の繊維を備えているように構成してもよい。
【００２９】
引張弾性率としては、内側繊維層８Ａが２４トン／ｍｍ２（２．３５×１０７ＭＰａ）以下の低弾性繊維を使用し、望ましくは６トン／ｍｍ２（５．９７×１０６ＭＰａ）〜２０トン／ｍｍ２（１．９６×１０７ＭＰａ）の引張弾性率を採り、外側繊維層８Ｂが３０トン／ｍｍ２（２．９４×１０７ＭＰａ）以上の中高弾性繊維を使用し、望ましくは３５トン／ｍｍ２（３．４３×１０７ＭＰａ）〜４５トン／ｍｍ２（４．４１×１０７ＭＰａ）の引張弾性率を採る。
【００３０】
（２）内側繊維層８Ａに使用される繊維と外側繊維層８Ｂに使用される繊維の種類は同一でも異なる種類のものでもよい。
（３）内側繊維層８Ａに使用される繊維と外側繊維層８Ｂに使用される繊維の配向方向は、同一方向に引き揃えたものでもよく、また、交差する方向に配向してもよい。
【００３１】
〔第２実施形態〕
図５に示すように、保持部７ａのみにプリプレグ製の外装部７Ａを被覆し、外装部７Ａより突出する脚部７ｂと足部７ｃとには外装部７Ａを施すことのない形態について説明する。
この第２実施形態においては、図５（ａ）（ｃ）に示すように、ガイド本体７の脚部７ｂと足部７ｃを、プリプレグ製の外装部７Ａより更に延出し、その延出部分を足部７ｃに構成する。
【００３２】
穂先竿１の外周面に載置される足部７ｃに対して、図５（ｃ）に示すように、略１００°〜１１０°の角度（鈍角）αで脚部７ｂと保持部７ａが折り曲げ形成されており、竿体より外向きに突出される脚部７ｂと保持部７ａとを、釣り糸が絡み付き難く、かつ、絡み付いても摺り抜け易い角度に設定してある。
【００３３】
なお、足部７ｃの表面側に凹入部７ｆが形成してあり、この凹入部７ｆに取付用の糸ａが嵌り込んで、取付用の糸ａの位置ズレが少なくなるとともに、足部７ｃが凹入部７ｆを設けることによって変形しやすくなり、足部７ｃを竿素材の外周面に載置した際に、その外周面に馴染みやすい。
ただし、この凹入部７ｆについては特に設けなくともよい。足部７ｃを一定の厚みで形成してもよい。
【００３４】
金属製のガイド本体７としては、チタンバネ材をプレス等で打ち抜き加工して製造される。図５（ｂ）に示すように、ガイド本体７は、円形状の保持部７ａを備えており、この保持部７ａに釣り糸用挿通孔７ｈを形成し、釣り糸用挿通孔７ｈの縁部にガイドリング６を樹脂製の接着剤やカシメ処理を施して固着する構成である。
【００３５】
なお、チタンバネ材は、耐食性に優れ、かつ、環境に優しい金属である。機械的強度としては、ＪＩＳ２種基準で、引っ張り強さが３４０〜５１０Ｎ／ｍｍ２であり、曲げ強度にも優れる。ただし、鉄鋼のように明確な降伏点を持ってはいないので、０．２％耐力を測定すると２１５Ｎ／ｍｍ２以上あるので、弾性限度が十分高いものであり、釣り糸用ガイドとして、大きな荷重を受けても元の姿勢に復帰する弾性力が大きい。
【００３６】
一方、ガイド本体７に使用される金属は、チタンバネ板以外に、前記したようにアルミニュウム、ステンレスであってもよい。アルミニュウムの場合には、表面処理を施す。アルマイト加工、メッキ加工で表面処理を行い、塗装を施してもよい。
【００３７】
外装部７Ａは繊維強化樹脂の一例であるプリプレグ製であり、前記した竿素材を形成するプリプレグと同様のものである。前記した炭素繊維等の強化繊維ｃを繊維の長手方向に沿って配置し、その炭素繊維群にエポキシ等の熱硬化性樹脂を含浸させて、プリプレグシートを形成する。このプリプレグシートを積層することにより外装部７Ａを形成する。
外装部７Ａの中心位置には、ガイドリング６を装着する為の装着孔７ｅが形成してある。
【００３８】
ガイドリング６は、外形として円形のものが使用されるが、楕円形のものであってもよい。セラミックが主として使用され、炭化ケイ素、アルミナ等が材料として選定され、サーメット等の金属とセラミックも使用される。耐摩耗性の高い材料であれば使用可能である。前記したようにガイド芯材部７Ｂだけでなく、外装部７Ａの挿通孔７ｄの縁部で支持する形態にしてもよい。
サーメットは、金属炭化物や金属窒化物などの硬質化合物の粉末を金属の結合材と混合して焼結した複合材料であり、耐熱性や耐摩耗性が高い。
【００３９】
次に、釣り糸用ガイド３の製造について説明する。
（１）図５（ｂ）に示すように、チタンバネ材からプレス加工で打ち抜き及び曲げ加工を施してガイド本体７を形成する。ガイド本体７は切削加工によって製作してもよい。
（２）ガイド本体７にガイドリング６を前記した方法によって装着する。
（３）図６に示すように、複数枚の半硬化状態のプリプレグシート９を外装部７Ａの形状に裁断する。
【００４０】
（４）図７に示すように、複数枚の外装部形状に裁断した半硬化状態のプリプレグシート９を重ね合せ、その内部にチタンバネ材製のガイド本体７を挟み込み、かつ、プリプレグ製の補強体８を所定位置に装着して成形前の釣り用ガイド体３Ｃを形成する。成形前の釣り用ガイド体３Ｃを第１型１１Ａと第２型１１Ｂとからなる真空型１１内に装入し、補強体８、プリプレグシート９とガイド本体７との密着強度を向上させる一次成形を施す。
この際に、空気を巻き込まないように、ポンプＰによって真空引きを行う。
（５）図７に示すように、一次成形を施された釣り用ガイド体３Ｃを硬化炉１０内に投入して、加熱硬化する。この場合にも、真空引きは継続する。
（６）所定時間経過後で十分に冷却して成形品を取り出す。成形後は研削研磨加工等を行うことができる。
（７）以上のように、ガイドリング保持部７ａにプリプレグ製の外装部７Ａを施してあるので、上記したように、外装部７Ａのプリプレグを硬化させる際にガイドリング６をプリプレグで固定することが可能になり、他の取付手段を必要としない。したがって、プリプレグの硬化を利用してガイドリング６を取り付ける方法を採ってもよい。
【００４１】
以上のように成形された釣り糸用ガイド３においては、図５（ａ）に示すように、プリプレグによる強化繊維ｃの向きが、ガイドリング６の周りを巡るような状態に配向されており、引張応力に対抗する状態に配向されている。この場合には、強化繊維ｃの向きが、六角形を描くように配向されている。
【００４２】
釣り糸用ガイド３は、足部７ｃを所定位置に載置して、取付具としての取付用の糸ａによって、竿素材に取付固定される。取付用の糸ａの上から樹脂塗料（図示してはいない）を塗布して、取付状態が固定される。
【００４３】
〔第３実施形態〕
第１実施形態から第２実施形態までは、足部７ｃは外装部７Ａから一方側にのみ延出されて形成されていたが、ここでは、図８に示すように、二方向、つまり、竿先側と竿元側とに張り出す二股式の足部７ｃを備えた釣り糸用ガイド３を形成する。このように足部７ｃを二股状とすることによって、竿素材への取付状態が一層安定する。
【００４４】
上記した構成においては、ガイド本体７を第２実施形態と同様の形態に形成しているが、第１実施形態に示したように、外装部７Ａを被覆していない、金属製のガイド本体７単独のものにも、適用できる。
【００４５】
竿先側と竿尻側とに延出された足部７ｃにおける中間位置に設けた凹入部７ｊは、足部７ｃが竿体表面に密着しやすくする為に設けたものであり、竿先側と竿尻側とに延出された足部７ｃの全面を竿体表面に載置するように形成するよりも、足部７ｃが変形しやすく密着しやすい。
勿論、このように凹入部７ｊを形成することなく、足部７ｃの全面を竿体表面に載置する構成を採ってもよい。
【００４６】
補強体８を施す部位は、屈曲接続部７ｄの竿尻側に施すことにするが、図８の二点鎖線で示すように、屈曲接続部７ｄの竿先側にも施してもよい。このように、補強体８を屈曲接続部７ｄの竿先側に施した場合には、釣り竿を釣り場に載置する際に、釣り糸用ガイド３が圧縮荷重を受けた場合にもその荷重に耐え得る構造とすることができる。
【００４７】
〔別実施形態〕
（１）補強体８を施す部位について、屈曲接続部位７ｄについて説明したが、図示はしていないが、保持部７ａ、又は、脚部７ｂに施してもよい。この場合に、それら部位の竿先側または竿尻側の少なくともいずれか一方の面に施されていればよい。
【００４８】
（２）ガイドリング６の材料としてセラミック等を使用することについて説明したが、チタンやアルミ等の金属を使用してもよい。一方、ガイドリング６をガイド本体７と別個に形成するのではなく、一体で形成するものであってもよい。具体的には、図４及び図７に示すように、金属製のガイド本体７に釣り糸用挿通孔７ｈを形成し、その釣り糸用挿通孔７ｈの縁部に耐摩耗性処理を施して、ガイドリング６としての機能を持たせるように構成してもよい。これによって、セラミック等のガイドリング６を別個に装着する場合に比べて、金属による軽量化を図ることができる。
耐摩耗性を付与する製法としては、金属、セラミック、サーメット等を溶射、又は、ＰＶＤ、ＣＶＤによる薄膜成形技術が推奨される。または、薄膜を形成するのではなく、直接、釣り糸用挿通孔７ｇの縁部に耐摩耗性処理を施す方法でもよい。例えば、窒化処理等を施すことが可能である。
【００４９】
（３）ガイド本体７の材料として、チタンバネ材やアルミ材等を挙げたが、形状記憶合金を使用してもよい。釣り糸用ガイド３に想定以上の荷重が掛かった場合に、ガイド本体７が変形してその荷重を吸収し、荷重が取り除かれた状態では元の姿勢に復帰するので、芯材として適切である。
【００５０】
（４）外装部７Ａを構成するプリプレグにおける強化繊維の配向方向としては、強度的に弱い部分を補強するように配向すべきであり、前記したようにガイドリング６の周りを巡るような配向方法に限定されない。
【００５１】
（５）取付具として取付用の糸ａで行っているが、取付用の糸ａの代わりに樹脂テープを利用してもよい。更に、取付固定力を強力にするには、強化繊維に合成樹脂を含浸させたプリプレグをテープ状に形成したプリプレグテープを使用してもよい。
【００５２】
（６）足部７ｃに対して脚部７ｂ、及び、保持部７ａが、角度αで斜め前方に傾斜する姿勢に形成してあるが、足部７ｃに対して垂直な姿勢であってもよい。
【００５３】
（７）プリプレグ製の外装部７Ａと、その外装部７Ａを被着する金属製のガイド本体７とで構成するに、外装部７Ａをガイド本体７の竿先側及び竿尻側の両面に被覆する状態で施す形態について説明してきたが、竿先側か竿尻側の一方の面だけに施してもよい。
【産業上の利用可能性】
【００５４】
本願発明は、ヤマメ釣り等に使用される、所謂、トラウトロッドと呼ばれているものについて説明したが、ルアー竿、及び、磯竿、その他金属製の釣り糸用ガイドを繊維強化樹脂製の補強体で補強する必要のあるすべての竿等にも適用できる。
【符号の説明】
【００５５】
３      釣り糸用ガイド
６      ガイドリング
６Ａ    釣り糸挿通用の挿通孔
７      ガイド本体
７Ａ    外装部
７ａ    保持部
７ｂ    脚部
７ｃ    足部
７ｄ    屈曲接続部
８      補強体
８Ａ    内側繊維層
８Ｂ    外側繊維層
ａ      取付具
ｃ      強化繊維
【図１】
0005951064.tif 000002
【図２】
0005951064.tif 000003
【図３】
0005951064.tif 000004
【図４】
0005951064.tif 000005
【図５】
0005951064.tif 000006
【図６】
0005951064.tif 000007
【図７】
0005951064.tif 000008
【図８】
0005951064.tif 000009